(57)【要約】【課題】  アップグレード装置、ディスプレイ装置、その制御方法及びディスプレイシステムを提供する。【解決手段】  ディスプレイ装置のアップグレード装置は、映像を表示する前記ディスプレイ装置に接続して、前記ディスプレイ装置と通信を行うインターフェース部と、前記ディスプレイ装置に表示される映像に対応する映像信号を処理する映像処理部と、前記インターフェース部を介して前記アップグレード装置が前記ディスプレイ装置に接続すると、前記映像信号を処理して前記ディスプレイ装置で映像が表示されるように前記映像処理部を制御し、前記ディスプレイ装置から受信した情報に基づいて前記アップグレード装置が動作するように制御する制御部と、を備える。これによって、アップグレード装置がディスプレイ装置の情報に基づいて動作を行うので、既に販売されたディスプレイ装置との互換性が確保され、動作の安全性を向上させることができる。【選択図】      図２
2013141230.tif 000002
【特許請求の範囲】
【請求項１】
ディスプレイ装置のアップグレード装置であって、
映像を表示する前記ディスプレイ装置に接続して、前記ディスプレイ装置と通信を行うインターフェース部と、
前記ディスプレイ装置に表示される映像に対応する映像信号を処理する映像処理部と、
前記インターフェース部を介して前記アップグレード装置が前記ディスプレイ装置に接続すると、前記映像信号を処理して前記ディスプレイ装置で映像が表示されるように前記映像処理部を制御し、前記ディスプレイ装置から受信した情報に基づいて前記アップグレード装置が動作するように制御する制御部と、
を備えることを特徴とする、アップグレード装置。
【請求項２】
前記インターフェース部は、前記ディスプレイ装置の第１のインターフェース部に接続して、前記第１のインターフェース部と通信を行う第２のインターフェース部を備え、
前記情報は、前記第１のインターフェース部の規格情報を含み、
前記制御部は、前記第２のインターフェース部を介して前記アップグレード装置が前記ディスプレイ装置に接続すると、前記第１のインターフェース部に対応する規格で前記ディスプレイ装置との通信が行われるように前記第２のインターフェース部を制御することを特徴とする、請求項１に記載のアップグレード装置。
【請求項３】
前記第２のインターフェース部は、
前記第１のインターフェース部の規格情報を受信する固定インターフェースと、
前記第１のインターフェース部に対応する規格で前記ディスプレイ装置と通信を行う流動インターフェースと、
を備えることを特徴とする、請求項２に記載のアップグレード装置。
【請求項４】
前記制御部は、前記第１のインターフェース部に対応する規格で前記ディスプレイ装置との通信が行われるように前記第２のインターフェース部を制御する副制御部を備えることを特徴とする、請求項２または３に記載のアップグレード装置。
【請求項５】
前記情報は、前記ディスプレイ装置の電力情報を含み、
前記制御部は、前記ディスプレイ装置から前記電力情報を受信するように前記インターフェース部を制御し、前記受信した電力情報に基づいて前記アップグレード装置の駆動速度を決定し、該決定された駆動速度で動作することを特徴とする、請求項１に記載のアップグレード装置。
【請求項６】
前記制御部は、前記決定されたアップグレード装置の駆動速度を前記ディスプレイ装置の駆動速度と比較し、該比較の結果、前記アップグレード装置の駆動速度が前記ディスプレイ装置の駆動速度以下であると、前記ディスプレイ装置の制御部が動作を行うようにすることを特徴とする、請求項５に記載のアップグレード装置。
【請求項７】
少なくとも一つの映像供給源から受信する映像信号を処理するアップグレード装置と通信を行うインターフェース部と、
前記受信した映像信号を処理する映像処理部と、
前記処理された映像信号を映像として表示するディスプレイ部と、
前記アップグレード装置が前記インターフェース部を介して接続すると、前記ディスプレイ装置の情報及び前記映像供給源から受信した映像信号を前記アップグレード装置に送信し、前記アップグレード装置から前記処理された映像信号を受信するように前記インターフェース部を制御し、前記処理された映像信号を映像として表示するように前記ディスプレイ部を制御する制御部と、
を備えることを特徴とする、ディスプレイ装置。
【請求項８】
前記制御部は、前記インターフェース部の規格情報を前記アップグレード装置に送信して、前記インターフェース部に対応する規格で前記アップグレード装置と通信が行われるように前記インターフェース部を制御することを特徴とする、請求項７に記載のディスプレイ装置。
【請求項９】
前記制御部は、前記ディスプレイ装置の電力情報を前記アップグレード装置に送信し、前記アップグレード装置から、前記送信したディスプレイ装置の電力情報に基づいて決定された前記アップグレード装置の駆動速度情報をさらに受信するように前記インターフェース部を制御することを特徴とする、請求項７に記載のディスプレイ装置。
【請求項１０】
ディスプレイ装置のアップグレード装置の制御方法であって、
前記ディスプレイ装置に表示される映像に対応する映像信号を処理する前記アップグレード装置が前記ディスプレイ装置に接続することと、
前記アップグレード装置が前記ディスプレイ装置の情報を受信することと、
前記アップグレード装置が前記受信した情報に基づいて動作して、前記ディスプレイ装置から前記インターフェースを介して前記映像信号を受信して処理することと、
を含むことを特徴とする、アップグレード装置の制御方法。
【請求項１１】
前記ディスプレイ装置の情報は、前記ディスプレイ装置の第１のインターフェース部の規格情報を含み、
前記受信した規格情報に基づいて前記第１のインターフェース部に対応する規格で前記ディスプレイ装置との通信が行われるように前記アップグレード装置の第２のインターフェースの通信設定を行うことと、
前記ディスプレイ装置から前記第２のインターフェースを介して前記映像信号を受信することと、
をさらに含むことを特徴とする、請求項１０に記載のアップグレード装置の制御方法。
【請求項１２】
前記ディスプレイ装置の情報を受信することは、前記アップグレード装置が前記ディスプレイ装置の電力情報を受信することを含み、
前記受信したディスプレイ装置の電力情報に基づいて前記アップグレード装置の駆動速度を決定することと、
前記アップグレード装置が前記決定された駆動速度で動作することと、
をさらに含むことを特徴とする、請求項１０に記載のアップグレード装置の制御方法。
【請求項１３】
ディスプレイ装置の制御方法であって、
少なくとも一つの映像供給源から受信する映像信号を処理するアップグレード装置が前記ディスプレイ装置に接続することと、
前記ディスプレイ装置の情報を前記アップグレード装置に送信することと、
前記映像信号を前記アップグレード装置に送信することと、
前記アップグレード装置で処理された映像信号を受信することと、
前記受信した映像信号を映像として表示することと、
を含むことを特徴とする、ディスプレイ装置の制御方法。
【請求項１４】
前記情報を前記アップグレード装置に送信することは、前記ディスプレイ装置の第１のインターフェース部の規格情報を前記アップグレード装置に送信することを含み、
前記第１のインターフェース部に対応する規格で前記アップグレード装置と通信を行うことをさらに含むことを特徴とする、請求項１３に記載のディスプレイ装置の制御方法。
【請求項１５】
前記情報を前記アップグレード装置に送信することは、前記ディスプレイ装置の電力情報を前記アップグレード装置に送信することを含み、
前記アップグレード装置から、前記送信したディスプレイ装置の電力情報に基づいて決定された前記アップグレード装置の駆動速度情報を受信することをさらに含むことを特徴とする、請求項１３に記載のディスプレイ装置の制御方法。
【発明の詳細な説明】
【技術分野】
【０００１】
本発明は、アップグレード装置、ディスプレイ装置、その制御方法及びディスプレイシステムに関し、特に、アップグレード装置がディスプレイ装置に接続して通信を行うアップグレード装置、ディスプレイ装置、その制御方法及びディスプレイシステムに関する。
【背景技術】
【０００２】
ＴＶのようなディスプレイ装置は、外部の様々な映像供給源から送信されたり内部に保存している映像信号／映像データを処理して、ディスプレイパネル上に映像として表示する。一般のユーザーに提供されているディスプレイ装置の具体例には、ＴＶやモニタなどがある。特に、ＴＶは、外部から受信した放送信号を、デコーディング、スケーリングなどのような様々な映像処理プロセスを通じてユーザー所望の放送チャンネルの映像として提供する。
【０００３】
このような映像処理プロセスを行うように、ディスプレイ装置は、様々なチップセット、メモリなどを有する回路構成からなる映像処理ボードを組み込んでいる。
【０００４】
技術の発達、増大するユーザーの要求、便宜性の向上などの近年の様々な要因により、ディスプレイ装置に要求される能力は深化及び拡張されつつある。
【０００５】
このようなディスプレイ装置の機能の向上、すなわち、アップグレード（ｕｐｇｒａｄｅ）のためには、ハードウェアの側面及びソフトウェアの側面を考慮することができる。
【発明の概要】
【発明が解決しようとする課題】
【０００６】
前記のような従来技術によれば, ハードウェアの観点でのディスプレイ装置のアップグレードは、ディスプレイ装置に組み込まれている映像処理ボードの全体または少なくとも一部を物理的に入れ替えなければならず、製造の側面でも、使用の側面でも容易でない。ソフトウェアの観点から見ても、より発展したソフトウェアを駆動するためにはそれに対応するように設計されたハードウェアを必要とし、結局として、一般の使用者は、アップグレードされたディスプレイ装置を新しく購買する負担を負うことになる。
【課題を解決するための手段】
【０００７】
本発明の実施例に係るディスプレイ装置のアップグレード装置は、映像を表示する前記ディスプレイ装置に接続して、前記ディスプレイ装置と通信を行うインターフェース部と、前記ディスプレイ装置に表示される映像に対応する映像信号を処理する映像処理部と、前記インターフェース部を介して前記アップグレード装置が前記ディスプレイ装置に接続すると、前記映像信号を処理して前記ディスプレイ装置で映像が表示されるように前記映像処理部を制御し、前記ディスプレイ装置から受信した情報に基づいて前記アップグレード装置が動作するように制御する制御部と、を備える。
【０００８】
前記インターフェース部は、前記ディスプレイ装置の第１のインターフェース部に接続して、前記第１のインターフェース部と通信を行う第２のインターフェース部を備え、前記情報は、前記第１のインターフェース部の規格情報を含み、前記制御部は、前記第２のインターフェース部を介して前記アップグレード装置が前記ディスプレイ装置に接続すると、前記第１のインターフェース部に対応する規格で前記ディスプレイ装置との通信が行われるように前記第２のインターフェース部を制御することができる。
【０００９】
前記制御部は、前記第２のインターフェース部を介して送受信される信号の構成、電圧レベル及び伝送速度の少なくとも一つを前記第１のインターフェース部に対応するように制御することができる。
【００１０】
前記第２のインターフェース部は、前記第１のインターフェース部の規格情報を受信する固定インターフェースと、前記第１のインターフェースに対応する規格で前記ディスプレイ装置と通信を行う流動インターフェースと、を備えることができる。
【００１１】
前記制御部は、前記第１のインターフェース部に対応する規格で前記ディスプレイ装置との通信が行われるように前記第２のインターフェース部を制御する副制御部を備えることができる。
【００１２】
前記副制御部は、ＦＰＧＡ及びマイコンの少なくとも一つを含む集積回路であってもよい。
【００１３】
前記情報は、前記ディスプレイ装置の電力情報を含み、前記制御部は、前記ディスプレイ装置から前記電力情報を受信するように前記インターフェース部を制御し、前記受信した電力情報に基づいて前記アップグレード装置の駆動速度を決定し、該決定された駆動速度で動作することができる。
【００１４】
前記制御部は、ＣＰＵ、ＧＰＵ、ＤＳＰ及びメモリを有し、前記ＣＰＵ周波数、前記ＧＰＵ周波数、前記ＤＳＰ周波数、及び前記メモリバス速度の少なくとも一つを含む調整項目の設定値によって前記アップグレード装置の駆動速度を決定することができる。
【００１５】
前記制御部は、前記ディスプレイ装置の動作モードに応じて前記調整項目の前記設定値を調整して前記アップグレード装置の駆動速度を決定することができる。
【００１６】
前記ディスプレイ装置の動作モードは、ＴＶモード、ゲームモード、インターネットモード、スポーツモード及び音楽モードの少なくとも一つを含むことができる。
【００１７】
前記制御部は、前記ディスプレイ装置の動作モードが変更される場合に、前記調整項目の設定値を再設定することができる。
【００１８】
前記制御部は、前記決定されたアップグレード装置の駆動速度を前記ディスプレイ装置の駆動速度と比較し、前記比較の結果、前記アップグレード装置の駆動速度が前記ディスプレイ装置の駆動速度以下であると、前記ディスプレイ装置の制御部が動作を行うようにしてもよい。
【００１９】
前記ディスプレイ装置の電力情報に対応する前記アップグレード装置の駆動速度情報が記憶された記憶部をさらに備え、前記制御部は、前記受信した電力情報に対応するように記憶された駆動速度を前記アップグレード装置の駆動速度に決定することができる。
【００２０】
前記電力情報は、前記ディスプレイ装置が前記アップグレード装置に供給可能な電力情報を含み、前記制御部は、前記ディスプレイ装置から前記電力情報に対応する電力を供給されるように前記インターフェース部を制御することができる。
【００２１】
一方、本発明の実施例に係るディスプレイ装置は、少なくとも一つの映像供給源から受信する映像信号を処理するアップグレード装置と通信を行うインターフェース部と、前記受信した映像信号を処理する映像処理部と、前記処理された映像信号を映像として表示するディスプレイ部と、前記アップグレード装置が前記インターフェース部を介して接続すると、前記ディスプレイ装置の情報及び前記映像供給源から受信した映像信号を前記アップグレード装置に送信し、前記アップグレード装置から前記処理された映像信号を受信するように前記インターフェース部を制御し、前記処理された映像信号を映像として表示するように前記ディスプレイ部を制御する制御部と、を備える。
【００２２】
前記制御部は、前記インターフェース部の規格情報を前記アップグレード装置に送信し、前記インターフェース部に対応する規格で前記アップグレード装置と通信が行われるように前記インターフェース部を制御することができる。
【００２３】
前記インターフェース部は、前記インターフェース部を介して送受信される信号の構成、電圧レベル及び伝送速度の少なくとも一つを前記アップグレード装置に送信することができる。
【００２４】
前記制御部は、前記ディスプレイ装置の電力情報を前記アップグレード装置に送信することができる。
【００２５】
前記インターフェース部は、前記アップグレード装置から、前記送信されたディスプレイ装置の電力情報に基づいて決定された前記アップグレード装置の駆動速度情報をさらに受信することができる。
【００２６】
前記アップグレード装置の駆動速度は、前記アップグレード装置の制御部のＣＰＵ周波数、ＧＰＵ周波数、ＤＳＰ周波数及びメモリバス速度の少なくとも一つを含む調整項目の設定値によって決定されるとよい。
【００２７】
前記アップグレード装置の駆動速度は、前記ディスプレイ装置の動作モードによって前記調整項目の前記設定値を調整して決定され、前記ディスプレイ装置の動作モードは、ＴＶモード、ゲームモード、インターネットモード、スポーツモード及び音楽モードの少なくとも一つを含むことができる。
【００２８】
前記制御部は、前記ディスプレイ装置の動作モードが変更されると、前記調整項目の設定値を再設定して決定された前記アップグレード装置の駆動速度情報を受信するように前記インターフェース部を制御することができる。
【００２９】
前記制御部は、前記決定されたアップグレード装置の駆動速度を前記ディスプレイ装置の駆動速度と比較し、前記比較の結果、前記アップグレード装置の駆動速度が前記ディスプレイ装置の駆動速度以下であると、前記ディスプレイ装置の制御部が動作を行うようにしてもよい。
【００３０】
前記電力情報は、前記ディスプレイ装置が前記アップグレード装置に供給できる電力情報を含み、前記制御部は、前記電力情報に対応する電力を前記アップグレード装置に供給するように前記インターフェース部を制御するこができる。
【００３１】
一方、本発明の実施例に係るディスプレイ装置のアップグレード装置の制御方法は、前記ディスプレイ装置に表示される映像に対応する映像信号を処理する前記アップグレード装置が前記ディスプレイ装置に接続するステップと、前記アップグレード装置が前記ディスプレイ装置の情報を受信するステップと、前記アップグレード装置が前記受信した情報に基づいて動作し、前記ディスプレイ装置から前記インターフェースを介して前記映像信号を受信して処理するステップと、を含む。
【００３２】
前記ディスプレイ装置の情報は、前記ディスプレイ装置の第１のインターフェース部の規格情報を含み、前記アップグレード装置の制御方法は、前記受信した規格情報に基づいて前記第１のインターフェース部に対応する規格で前記ディスプレイ装置との通信が行われるように前記アップグレード装置の第２のインターフェースの通信設定を行うステップと、前記ディスプレイ装置から前記第２のインターフェースを介して前記映像信号を受信するステップと、をさらに含むことができる。
【００３３】
前記通信設定を行うステップは、前記ディスプレイ装置と送受信される信号の構成、電圧レベル及び伝送速度の少なくとも一つを前記第１のインターフェース部に対応するように設定することができる。
【００３４】
前記第２のインターフェース部は、前記第１のインターフェース部の規格情報を受信する固定インターフェースと、前記第１のインターフェースに対応する規格で前記ディスプレイ装置と通信を行う流動インターフェースと、を備え、前記通信設定を行うステップは、前記流動インターフェースの通信設定を行うことができる。
【００３５】
前記アップグレード装置は、前記第１のインターフェース部に対応する規格で前記ディスプレイ装置との通信が行われるように前記第２のインターフェース部を制御する副制御部をさらに備え、前記副制御部は、ＦＰＧＡとマイコンの少なくとも一つを含む集積回路であってもよい。
【００３６】
前記ディスプレイ装置の情報を受信するステップは、前記アップグレード装置が前記ディスプレイ装置の電力情報を受信するステップを含み、前記アップグレード装置の制御方法は、前記受信したディスプレイ装置の電力情報に基づいて前記アップグレード装置の駆動速度を決定するステップと、前記アップグレード装置が前記決定された駆動速度で動作するステップと、をさらに含むことができる。
【００３７】
前記アップグレード装置の駆動速度を決定するステップは、制御部のＣＰＵ周波数、ＧＰＵ周波数、ＤＳＰ周波数及びメモリバス速度の少なくとも一つを含む調整項目の設定値を調整するステップを含むことができる。
【００３８】
前記設定値を調整するステップは、前記ディスプレイ装置の動作モードによって前記調整項目の設定値を調整するステップを含み、前記ディスプレイ装置の動作モードは、ＴＶモード、ゲームモード、インターネットモード、スポーツモード及び音楽モードの少なくとも一つを含むことができる。
【００３９】
前記設定値を調整するステップは、前記ディスプレイ装置の動作モードが変更される場合に、前記調整項目の設定値を再設定するステップを含むことができる。
【００４０】
前記アップグレード装置の制御方法は、前記決定されたアップグレード装置の駆動速度と前記ディスプレイ装置の駆動速度とを比較するステップと、前記比較の結果、前記アップグレード装置の駆動速度が前記ディスプレイ装置の駆動速度以下であると、前記ディスプレイ装置の制御部が動作を行うステップと、をさらに含むことができる。
【００４１】
前記アップグレード装置の制御方法は、前記ディスプレイ装置の電力情報に対応する前記アップグレード装置の駆動速度情報を記憶するステップをさらに含み、前記アップグレード装置の駆動速度を決定するステップは、前記受信された電力情報に対応して記憶された前記駆動速度を前記アップグレード装置の駆動速度に決定することができる。
【００４２】
前記電力情報は、前記ディスプレイ装置が前記アップグレード装置に供給できる電力情報を含み、前記アップグレード装置の制御方法は、前記アップグレード装置が前記ディスプレイ装置から前記電力情報に対応する電力を供給されるステップをさらに含むことができる。
【００４３】
一方、本発明の実施例に係るディスプレイ装置の制御方法は、少なくとも一つの映像供給源から受信する映像信号を処理するアップグレード装置が前記ディスプレイ装置に接続するステップと、前記ディスプレイ装置の情報を前記アップグレード装置に送信するステップと、前記映像信号を前記アップグレード装置に送信するステップと、前記アップグレード装置で処理された映像信号を受信するステップと、前記受信した映像信号を映像として表示するステップと、を含む。
【００４４】
前記情報を前記アップグレード装置に送信するステップは、前記ディスプレイ装置の第１のインターフェース部の規格情報を前記アップグレード装置に送信するステップを含み、前記ディスプレイ装置の制御方法は、前記第１のインターフェース部に対応する規格で前記アップグレード装置と通信を行うステップをさらに含むことができる。
【００４５】
前記アップグレード装置と通信を行うステップは、前記第１のインターフェース部を介して送受信される信号の構成、電圧レベル及び伝送速度の少なくとも一つが前記第１のインターフェース部に対応するように通信を行うステップを含むことができる。
【００４６】
前記情報を前記アップグレード装置に送信するステップは、前記ディスプレイ装置の電力情報を前記アップグレード装置に送信するステップを含み、前記ディスプレイ装置の制御方法は、前記アップグレード装置から、前記送信したディスプレイ装置の電力情報に基づいて決定された前記アップグレード装置の駆動速度情報を受信するステップをさらに含むことができる。
【００４７】
前記アップグレード装置の駆動速度は、前記アップグレード装置の制御部のＣＰＵ周波数、ＧＰＵ周波数、ＤＳＰ周波数及びメモリバス速度の少なくとも一つを含む調整項目の設定値によって決定されるとよい。
【００４８】
前記アップグレード装置の駆動速度は、前記ディスプレイ装置の動作モードによって前記調整項目の前記設定値を調整して決定され、前記ディスプレイ装置の動作モードは、ＴＶモード、ゲームモード、インターネットモード、スポーツモード及び音楽モードの少なくとも一つを含むことができる。
【００４９】
前記ディスプレイ装置の制御方法は、前記ディスプレイ装置の動作モードが変更される場合に、前記調整項目の設定値を再設定して決定された前記アップグレード装置の駆動速度情報を受信するステップをさらに含むことができる。
【００５０】
前記ディスプレイ装置の制御方法は、前記決定されたアップグレード装置の駆動速度を前記ディスプレイ装置の駆動速度と比較するステップと、前記比較の結果、前記アップグレード装置の駆動速度が前記ディスプレイ装置の駆動速度以下であると、前記ディスプレイ装置の制御部が動作を行うステップをさらに含むことができる。
【００５１】
前記電力情報は、前記ディスプレイ装置が前記アップグレード装置に供給可能な電力情報を含み、前記ディスプレイ装置の制御方法は、前記電力情報に対応する電力を前記アップグレード装置に供給するステップをさらに含むことができる。
【００５２】
一方、本発明の実施例に係るディスプレイ装置及びアップグレード装置を含むディスプレイシステムは、前記ディスプレイ装置が、少なくとも一つの映像供給源から受信する映像信号を処理するアップグレード装置と通信を行う第１のインターフェース部と、前記受信した映像信号を処理する第１の映像処理部と、前記処理された映像信号を表示するディスプレイ部と、前記アップグレード装置が前記インターフェース部を介して接続すると、前記ディスプレイ装置の情報を前記アップグレード装置に送信するように前記第１のインターフェース部を制御し、前記アップグレード装置で処理された映像信号を映像として表示するように前記ディスプレイ部を制御する第１の制御部と、を備え、前記アップグレード装置が、前記第１のインターフェース部に接続して前記ディスプレイ装置と通信を行う第２のインターフェース部と、前記ディスプレイ部に表示される映像に対応する映像信号を処理する第２の映像処理部と、前記映像信号を処理するように前記第２の映像処理部を制御し、前記第２のインターフェース部を介して前記アップグレード装置が前記ディスプレイ装置に接続すると、前記ディスプレイ装置から受信した情報に基づいて前記アップグレード装置が動作するように制御する第２の制御部と、を備えている。
【００５３】
前記情報は、前記第１のインターフェース部の規格情報を含み、前記第２の制御部は、前記第１のインターフェース部に対応する規格で前記ディスプレイ装置との通信が行われるように前記第２のインターフェース部を制御することができる。
【００５４】
前記情報は、前記ディスプレイ装置の電力情報を含み、前記第２の制御部は、前記受信したディスプレイ装置の電力情報に基づいて前記アップグレード装置の駆動速度を決定し、該決定された駆動速度で動作することができる。
【発明の効果】
【００５５】
このように、アップグレード装置がディスプレイ装置の情報に基づいて動作を行うから、既に販売されたディスプレイ装置との互換性を確保でき、動作の安全性を向上させることができる。
【図面の簡単な説明】
【００５６】
【図１】本発明の実施例に係るディスプレイシステムの構成を示すブロック図である。
【図２】本発明の第１の実施例に係るディスプレイ装置及びアップグレード装置の構成を示すブロック図である。
【図３】本発明の第２の実施例に係るディスプレイ装置及びアップグレード装置の構成を示すブロック図である。
【図４】本発明の第３の実施例に係るディスプレイ装置及びアップグレード装置の構成を示すブロック図である。
【図５】図１乃至図４のディスプレイシステムにおいて、ディスプレイ装置の映像処理プロセスをアップグレード装置によりアップグレードする方法をそれぞれ示す例示図である。
【図６】図１乃至図４のディスプレイシステムにおいて、ディスプレイ装置の映像処理プロセスをアップグレード装置によりアップグレードする方法をそれぞれ示す例示図である。
【図７】本発明の第１または第２の実施例に係るディスプレイ装置の制御方法を示すフローチャートである。
【図８】本発明の第１または第２の実施例に係るアップグレード装置の制御方法を示すフローチャートである。
【図９】本発明の第３の実施例に係るディスプレイ装置の制御方法を示すフローチャートである。
【図１０】本発明の第３の実施例に係るディスプレイ装置の制御方法を示すフローチャートである。
【図１１】本発明の第３の実施例に係るアップグレード装置の制御方法を示すフローチャートである。
【図１２】本発明の第３の実施例に係るアップグレード装置の制御方法を示すフローチャートである。
【発明を実施するための形態】
【００５７】
以下、添付の図面を参照して、本発明の好適な実施例について詳細に説明する。
【００５８】
図１は、本発明の実施例に係るディスプレイシステム１の構成を示すブロック図である。図１に示すように、本実施例に係るディスプレイシステム１は、ディスプレイ装置１００及びアップグレード装置２００を備えている。ディスプレイ装置１００とアップグレード装置２００は相互通信可能に接続されている。
【００５９】
相互接続しているディスプレイ装置１００とアップグレード装置２００は、放送信号のような映像信号、及び各種のデータ、電源などを含む制御信号を送受信する。
【００６０】
ディスプレイ装置１００は、外部の映像供給源（図示せず）から提供される映像信号を、既に設定された映像処理プロセスに従って処理して映像として表示する。
【００６１】
本実施例のシステム１では、ディスプレイ装置１００を、放送局の送出装備から受信する放送信号／放送情報／放送データに基づいて放送映像を表示するＴＶとして説明する。しかし、本発明の思想がディスプレイ装置１００の具体例に限定されず、ディスプレイ装置１００としては、ＴＶの他にも、映像を表示可能な種々の例を適用することができる。
【００６２】
また、ディスプレイ装置１００が表示可能な映像の種類は放送映像に限定されず、例えば、ディスプレイ装置１００は、様々な形式の映像供給源（図示せず）から受信する信号／データに基づいて動映像、静止映像、アプリケーション（ａｐｐｌｉｃａｔｉｏｎ）、ＯＳＤ（ｏｎ−ｓｃｒｅｅｎ  ｄｉｓｐｌａｙ）、様々な動作制御のためのＧＵＩ（ｇｒａｐｈｉｃ  ｕｓｅｒ  ｉｎｔｅｒｆａｃｅ）などの映像を表示することができる。
【００６３】
アップグレード装置２００はディスプレイ装置１００と通信可能に接続している。アップグレード装置２００は、接続しているディスプレイ装置１００の既存のハードウェア／ソフトウェアの構成をアップグレードし、アップグレードしたディスプレイ装置１００のハードウェア／ソフトウェアの構成により映像信号が処理されるようにすることによって、より向上した画質の映像を表示可能にする。
【００６４】
例えば、アップグレード装置２００は、映像処理回路などのように、ＴＶのハードウェアのアップグレードのための装置でよく、ディスプレイ装置１００に脱着可能になっている。
【００６５】
一方、アップグレード装置２００は、本実施例の場合とは違い、無線でディスプレイ装置１００に接続してもよく、この場合、アップグレード装置２００は、別途の外部電源またはバッテリーから動作電源が供給されればよい。ただし、本実施例では、アップグレード装置２００がディスプレイ装置１００に有線で接続する場合について説明する。
【００６６】
ディスプレイ装置１００は独自で、外部から受信する映像信号を、既に設定された映像処理プロセスに従って処理して映像として表示できる。
【００６７】
本実施例によれば、ディスプレイ装置１００にアップグレード装置２００が接続されて、上記の映像処理プロセスを行うディスプレイシステム１のハードウェア／ソフトウェアの構成がアップグレードされる。このようなアップグレード装置２００は、ディスプレイ装置１００から映像信号を受信して処理し、処理した映像信号をディスプレイ装置１００に伝送する。ディスプレイ装置１００は、アップグレード装置２００から受信した映像信号に対応する映像を表示する。これにより、より画質の向上した映像をユーザーに提供することができる。
【００６８】
本発明の実施例で、アップグレード装置２００がディスプレイ装置１００に接続すると、アップグレード装置２００は、ディスプレイ装置１００から受信した情報に基づいて動作を行う。
【００６９】
ここで、ディスプレイ装置１００から受信した情報は、ディスプレイ装置１００の第１のインターフェース部（図２乃至図４の１１０）の規格情報、ディスプレイ装置１００の電力情報（すなわち、ディスプレイ装置１００がアップグレード装置２００に供給可能な電力情報）、ディスプレイ装置１００の動作モード情報を含むことができる。
【００７０】
アップグレード装置２００は、ディスプレイ装置１００から受信した第１のインターフェース部１１０の規格情報に基づいて、第２のインターフェース部（図２乃至図４の２１０）を介して第１のインターフェース部１００に対応する規格でディスプレイ装置１００との通信を行う。これに関する具体的な動作については、図２及び図３でより詳細に説明する。
【００７１】
また、アップグレード装置２００は、ディスプレイ装置１００から受信した電力情報に基づいてアップグレード装置２００の駆動速度を決定し、決定した駆動速度で動作する。これに関する具体的な動作については、図４でより詳細に説明する。
【００７２】
図２は、本発明の第１の実施例に係るディスプレイシステム１を構成するディスプレイ装置１００及びアップグレード装置２００の構成を示すブロック図である。図２に示すように、ディスプレイ装置１００は、少なくとも一つの映像供給源３００が接続される第１のインターフェース部１１０と、第１のインターフェース部１１０を介して映像供給源３００から受信する映像信号を処理する第１の映像処理部１２０と、第１の映像処理部１２０により処理された映像信号を映像として表示するディスプレイ部１３０と、ユーザー入力に応じて、既に設定されたコマンドを出力するユーザー入力部１４０と、限定されないデータ／情報が記憶される第１の記憶部１５０と、ディスプレイ装置１００の諸般構成の動作を制御する第１の制御部１６０と、を備えている。
【００７３】
第１のインターフェース部１１０は、少なくとも一つの映像供給源３００から受信する映像信号を第１の映像処理部１２０に伝達し、受信する映像信号の規格や映像供給源３００及びディスプレイ装置１００の具現方式に対応して様々な方式を有する。例えば、第１のインターフェース部１１０は、ＨＤＭＩ（ｈｉｇｈ  ｄｅｆｉｎｉｔｉｏｎ  ｍｕｌｔｉｍｅｄｉａ  ｉｎｔｅｒｆａｃｅ）、ＵＳＢ（Ｕｎｉｖｅｒｓａｌ  Ｓｅｒｉａｌ  Ｂｕｓ）、コンポーネント（ｃｏｍｐｏｎｅｎｔ）などの規格に従う信号／データを受信することができ、これらのそれぞれの規格に対応する複数の接続端子（図示せず）を備える。このような各接続端子（図示せず）に、映像供給源３００を含む様々な外部装置が接続させることによって、第１のインターフェース部１１０を介した通信が可能になる。
【００７４】
すなわち、第１のインターフェース部１１０に接続する外部装置は、映像供給源３００に限定されず、第１のインターフェース部１１０を介してディスプレイ装置１００との間に信号／データの送受信できる装置は第１のインターフェース部１１０に接続可能であり、本実施例によれば、アップグレード装置２００が第１のインターフェース部１１０に接続可能である。
【００７５】
第１の映像処理部１２０は、第１のインターフェース部１１０から受信する映像信号に、既に設定された様々な映像処理プロセスを行う。第１の映像処理部１２０は、このようなプロセスが行われた映像信号をディスプレイ部１３０に出力し、該映像信号に対応する映像をディスプレイ部１３０に表示させる。
【００７６】
第１の映像処理部１２０が行う映像処理プロセスの種類は限定されず、例えば、所定の信号を各特性別信号に分配するデマルチプレクシング（ｄｅ−ｍｕｌｔｉｐｌｅｘｉｎｇ）、映像信号の映像フォーマットに対応するデコーディング（ｄｅｃｏｄｉｎｇ）、インターレース（ｉｎｔｅｒｌａｃｅ）方式の映像信号をプログレッシブ（ｐｒｏｇｒｅｓｓｉｖｅ）方式で変換するデインターレーシング（ｄｅ−ｉｎｔｅｒｌａｃｉｎｇ）、映像信号を既に設定された解像度に調整するスケーリング（ｓｃａｌｉｎｇ）、映像画質改善のためのノイズ減少（ｎｏｉｓｅ  ｒｅｄｕｃｔｉｏｎ）、ディテール強化（ｄｅｔａｉｌ  ｅｎｈａｎｃｅｍｅｎｔ）、フレームリフレッシュレート（ｆｒａｍｅ  ｒｅｆｒｅｓｈ  ｒａｔｅ）変換などを含むことができる。
【００７７】
第１の映像処理部１２０は、このようなプロセスを行うための様々なチップセット（図示せず）、メモリ（図示せず）、電子部品（図示せず）、配線（図示せず）などの回路構成が印刷回路基板（図示せず）上に実装された映像処理ボード（図示せず）とする。
【００７８】
ディスプレイ部１３０は、第１の映像処理部１２０から出力される映像信号に基づいて映像を表示する。ディスプレイ部１３０の具現方式は限定されず、液晶（ｌｉｑｕｉｄ  ｃｒｙｓｔａｌ）、プラズマ（ｐｌａｓｍａ）、発光ダイオード（ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｉｔｔｉｎｇ  ｄｉｏｄｅ）、面伝導型電子銃（ｓｕｒｆａｃｅ−ｃｏｎｄｕｃｔｉｏｎ  ｅｌｅｃｔｒｏｎ−ｅｍｉｔｔｅｒ）、炭素ナノチューブ（ｃａｒｂｏｎ  ｎａｎｏ−ｔｕｂｅ）、ナノクリスタル（ｎａｎｏ−ｃｒｙｓｔａｌ）などの様々なディスプレイ方式にすればよい。
【００７９】
ディスプレイ部１３０は、その具現方式によって異なる構成要素を備えることができる。例えば、ディスプレイ部１３０を液晶方式にした場合に、ディスプレイ部１３０は、液晶ディスプレイパネル（図示せず）と、これに光を供給するバックライトユニット（図示せず）と、パネル（図示せず）を駆動するパネル駆動基板（図示せず）と、を備える。
【００８０】
ユーザー入力部１４０は、ユーザーの操作及び入力に応じて、既に設定された様々な制御コマンドまたは限定されない情報を第１の制御部１６０に伝達する。ユーザー入力部１４０は、ディスプレイ装置１００の外側に設けられたメニューキー（ｍｅｎｕ−ｋｅｙ）及び入力パネル（ｐａｎｅｌ）や、ディスプレイ装置１００と分離した遠隔のリモートコントローラ（ｒｅｍｏｔｅ  ｃｏｎｔｒｏｌｌｅｒ）などにすることができる。
【００８１】
一方、ユーザー入力部１４０は、ディスプレイ部１３０と一体型にすることもできる。すなわち、ディスプレイ部１３０がタッチスクリーン（ｔｏｕｃｈ−ｓｃｒｅｅｎ）の場合に、ユーザーはディスプレイ部１３０に表示された入力メニュー（図示せず）を用いて、既に設定されたコマンドを第１の制御部１６０に伝達することもできる。
【００８２】
第１の記憶部１５０は、第１の制御部１６０の制御に応じて、限定されないデータを記憶する。第１の記憶部１５０は、フラッシュメモリ（ｆｌａｓｈ−ｍｅｍｏｒｙ）、ハードディスクドライブ（ｈａｒｄ−ｄｉｓｃ  ｄｒｉｖｅ）のような非揮発性記憶媒体で具現される。第１の記憶部１５０は、第１の制御部１６０によりアクセスされて、第１の制御部１６０によるデータの読み取り／書き込み／修正／削除／更新などが行われる。
【００８３】
第１の記憶部１５０に記憶されるデータは、例えば、ディスプレイ装置１００の駆動のための運営体制をはじめとして、この運営体制上で実行可能な様々なアプリケーション、映像データ、付加データなどを含む。
【００８４】
第１の制御部１６０は、ディスプレイ装置１００の様々な構成に対する制御動作を行う。例えば、第１の制御部１６０は、第１の映像処理部１２０が処理する映像処理プロセスの進行、第１のインターフェース部１１０を介した信号／情報／データの送受信動作、ユーザー入力部１４０からのコマンドに対応する制御動作を行うことによって、ディスプレイ装置１００の動作全般を制御する。
【００８５】
このような構成のディスプレイ装置１００は、使用時間の経過につれて、技術の発展を含む様々な要因からアップグレードを必要とする。アップグレードを必要とする場合としては、例えば、ディスプレイ装置１００の作製段階で提案出しなかった新しいフォーマットの映像信号を受信する場合、高画質映像を要求するトレンドによって、ディスプレイ装置１００自体で支援するレベル以上の解像度を持つ映像信号を受信する場合、ディスプレイ装置１００のシステム負荷をより軽減しようとする場合を含め、様々な場合がある。
【００８６】
このようなディスプレイ装置１００のアップグレードには、ハードウェア及びソフトウェアのそれぞれの側面がある。本実施例によれば、ディスプレイ装置１００をアップグレードするように備えられたアップグレード装置２００が第１のインターフェース部１１０に接続して、ディスプレイ装置１００の既存のハードウェア構成及びソフトウェア構成の少なくとも一つをアップグレードさせる。
【００８７】
アップグレード装置２００は、ディスプレイ装置１００が有しているハードウェア／ソフトウェア資源の少なくとも一部の資源に対応するハードウェア／ソフトウェア構成を備えている。アップグレード装置２００が備えているこれらの構成は、ディスプレイ装置１００の上記した一部の資源よりも向上した機能を行うように設けられている。アップグレード装置２００はディスプレイ装置１００に接続すると、ディスプレイ装置１００の既存の資源の少なくとも一部を代替することによって、最終的にディスプレイ装置１００で表示される映像の品質を向上させる。
【００８８】
以下、アップグレード装置２００の構成について説明する。
【００８９】
アップグレード装置２００は、ディスプレイ装置１００の第１のインターフェース部１１０に接続される第２のインターフェース部２１０と、第１の映像処理部１２０の映像処理プロセスの少なくとも一部に対応するプロセスを処理可能な第２の映像処理部２２０と、限定されないデータ／情報が記憶される第２の記憶部２５０と、アップグレード装置２００の動作全般を制御する第２の制御部２６０と、を備えている。
【００９０】
第２のインターフェース部２１０は、第１のインターフェース部１１０に接続して、アップグレード装置２００及びディスプレイ装置１００間の通信を可能にする。第２のインターフェース部２１０は、第１のインターフェース部１１０の複数の接続端子（図示せず）の少なくとも一つの接続端子（図示せず）に接続可能である。
【００９１】
例えば、第２のインターフェース部２１０は、第１のインターフェース部１１０の複数の接続端子（図示せず）のうち、ディスプレイ装置１００及びアップグレード装置２００間に映像信号が送受信されるようにＨＤＭＩ端子（図示せず）に、そしてデータ及び電源が送受信されるようにＵＳＢ端子（図示せず）にそれぞれ接続してもよい。しかし、これは一つの例示に過ぎず、第１のインターフェース部１１０及び第２のインターフェース部２１０間の接続方式は、上記の実施例の他にも様々な形態が可能である。
【００９２】
本発明の第１の実施例に係る第２のインターフェース部２１０は、固定インターフェース２１１及び流動インターフェース２１２を有している。
【００９３】
固定インターフェース２１１は、ＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）、Ｉ２Ｃ（Ｉｎｔｅｒ−Ｉｎｔｅｇｒａｔｅｄ  Ｃｉｒｃｕｉｔ）、ＵＳＢ、コンポーネントなどの汎用インターフェースで、ディスプレイ装置１００と接続して第１のインターフェース部１１０の規格情報、及び電源を受信することができる。また、固定インターフェース２１１は、映像信号を送受信するＨＤＭＩを有することもできる。
【００９４】
流動インターフェース２１２は、第２の制御部２６０の制御に応じて、受信した規格情報に基づいて第１のインターフェース部１１０に対応する規格でディスプレイ装置１００とのデータ通信を行う。ここで、流動インターフェース２１２を介して送受信されるデータ信号は、信号の構成、電圧レベル、伝送速度の少なくとも一つが第１のインターフェースの規格に対応する。
【００９５】
流動インターフェース２１２は、固定インターフェース２１１の物理的構成を用いて通信インターフェースが拡張されるものである。例えば、第２のインターフェース２１０の入出力ピンの一部が固定インターフェース２１１として用いられると、第２の制御部２６０は、残りのピンを介して送受信される信号の構成、電圧レベル、伝送速度などを制御して流動インターフェース２１２として用いることができる。
【００９６】
本発明の第１の実施例では、流動インターフェース２１２を介して送受信される信号をデータ信号として説明したが、これに限定されず、データ信号の他、各種の情報、制御信号、映像信号、電源も流動インターフェース２１２を介して送受信されるようにしてもよい。
【００９７】
このように第２のインターフェース部２１０を介して送受信される信号を流動的に制御できるようにし、アップグレード装置２００に新規インターフェースが適用されてもディスプレイ装置１００との互換性を確保することができる。
【００９８】
第２の映像処理部２２０は、ディスプレイ装置１００で第１の映像処理部１２０により行われる少なくとも一部の第１のプロセスに対して、対応の第２のプロセスを行うことができる。第１のプロセス及び第２のプロセスは相互区別のための便宜の呼称であり、一つの単位プロセスであってもよく、複数の単位プロセスであってもよい。第２のプロセスは、第１のプロセスに比べて機能的に向上しているが、これは、チップセットのようなハードウェアの改善や、アルゴリズム／実行コード／プログラムのようなソフトウェアの改善により実現することができる。
【００９９】
第２の映像処理部２２０は、ディスプレイ装置１００とアップグレード装置２００との接続時に、第１の制御部１６０または第２の制御部２６０の制御に応じて、第１のプロセスに代えて第２のプロセスを行う。このように、映像処理プロセスの際に、第１のプロセスよりも機能的に向上した第２のプロセスが第１のプロセスに代えて行われるため、結果として全体的な映像処理プロセスの向上が図られる。これに関する詳細な実施例については後述する。
【０１００】
第２の記憶部２５０は、限定されないデータを記憶する。第２の記憶部２５０は、フラッシュメモリ（ｆｌａｓｈ−ｍｅｍｏｒｙ）、ハードディスクドライブ（ｈａｒｄ−ｄｉｓｃ  ｄｒｉｖｅ）のような非揮発性記憶媒体で具現される。第２の記憶部２５０は、第１の制御部１６０または第２の制御部２６０によりアクセスされて、これらによるデータの読み取り／書き込み／修正／削除／更新などが行われる。一方、第１の記憶部１５０も、具現方式によって、第１の制御部１６０の他、第２の制御部２６０によりアクセスされてもよい。
【０１０１】
第２の制御部２６０は、全体的な映像処理プロセスを行うためのアップグレード装置２００の様々な構成に対する制御動作を行う。例えば、第２の制御部２６０は、第２の映像処理部２２０が処理する映像処理プロセスの進行、第２のインターフェース部２１０を介した信号／情報／データの送受信動作、を行うことによって、アップグレード装置２００の動作全般を制御する。
【０１０２】
第２の制御部２６０及び第１の制御部１６０は、ＣＰＵ（Ｃｅｎｔｒａｌ  Ｐｒｏｃｅｓｓｉｎｇ  Ｕｎｉｔ）で具現可能であり、第２の制御部２６０が第１の制御部１６０よりも向上した機能を行うことができるとすると、第２の制御部２６０は、第１の制御部１６０をディセーブルさせ、第１の制御部１６０に代えてディスプレイシステム１の動作全般を制御することができる。または、第２の制御部２６０は第１の制御部１６０と共にディスプレイシステム１の動作全般を制御することもできる。
【０１０３】
図３は、本発明の第２の実施例に係るディスプレイシステム１を構成するディスプレイ装置１００及びアップグレード装置２００の構成を示すブロック図である。
【０１０４】
図３に示す本発明の第２の実施例に係るディスプレイシステム１は、図２に示した第１の実施例に係るディスプレイシステム１において、アップグレード装置２００に第２のインターフェース部２１０を制御する副制御部２７０をさらに備えていることに特徴がある。そのため、副制御部２７０以外の構成要素には、第１の実施例と同一の図面符号及び同一の部材名を付し、当該部分については、重複説明を避けるために詳細な説明を省略するものとする。
【０１０５】
図３に示すように、本発明の第２の実施例に係る第２のインターフェース部２１０は、第１の実施例と同様、固定インターフェース２１１と流動インターフェース２１２を有している。
【０１０６】
固定インターフェース２１１は、ＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）、Ｉ２Ｃ（Ｉｎｔｅｒ−Ｉｎｔｅｇｒａｔｅｄ  Ｃｉｒｃｕｉｔ）、ＵＳＢ、コンポーネントなどの汎用インターフェースで、ディスプレイ装置１００と接続して第１のインターフェース部１１０の規格情報、及び電源を受信することができる。また、固定インターフェース２１１は、映像信号を送受信するＨＤＭＩを有することもできる。
【０１０７】
流動インターフェース２１２は、副制御部２７０の制御に応じて、受信した規格情報に基づいて第１のインターフェース部１１０に対応する規格でディスプレイ装置１００とのデータ通信を行う。ここで、流動インターフェース２１２を介して送受信されるデータ信号は、信号の構成、電圧レベル、伝送速度の少なくとも一つが第１のインターフェースの規格に対応する。
【０１０８】
副制御部２７０は、ＦＰＧＡ（Ｆｉｅｌｄ−Ｐｒｏｇｒａｍｍａｂｌｅ  Ｇａｔｅ  Ａｒｒａｙ）、マイコン（ＭｉｃｒｏＣｏｍｐｕｔｅｒ）などの集積回路（ＩＣ：Ｉｎｔｅｇｒａｔｅｄ  Ｃｉｒｃｕｉｔ）で具現される。
【０１０９】
流動インターフェース２１２は、固定インターフェース２１１の物理的構成を用いて通信インターフェースが拡張されるものである。例えば、第２のインターフェース２１０の入出力ピンの一部が固定インターフェース２１１として用いられると、第２の制御部２６０は、残りのピンを介して送受信される信号の構成、電圧レベル、伝送速度などを制御して流動インターフェース２１２として用いることができる。
【０１１０】
本発明の第２の実施例では、流動インターフェース２１２を介して送受信される信号をデータ信号として説明したが、これに限定されず、データ信号の他、各種の情報、制御信号、映像信号、電源も流動インターフェース２１２を介して送受信されるようにしてもよい。
【０１１１】
本発明の第２の実施例は、このように第２のインターフェース部２１０を介して送受信される信号を流動的に制御する別途の副制御部２７０をさらに備えることで、主制御部である第２の制御部２６０の負担を軽減し、アップグレード装置２００に新規インターフェースが適用されてもディスプレイ装置１００との互換性を確保することができる。
【０１１２】
図４は、本発明の第３の実施例に係るディスプレイシステム１を構成するディスプレイ装置１００及びアップグレード装置２００の構成を示すブロック図である。図４に示す本発明の第３の実施例に係るディスプレイシステム１は、図２に示した第１の実施例に係るディスプレイシステム１において、第２の制御部２６０及び第１の制御部１６０が、ＣＰＵ（Ｃｅｎｔｒａｌ  Ｐｒｏｃｅｓｓｉｎｇ  Ｕｎｉｔ）１６１，２６１、ＣＰＵを補助するＧＰＵ（Ｇｒａｐｈｉｃ  Ｐｒｏｃｅｓｓｉｎｇ  Ｕｎｉｔ）１６２，２６２、ＤＳＰ（Ｄｉｇｉｔａｌ  Ｓｉｇｎａｌ  Ｐｒｏｃｅｓｓｏｒ）１６３，２６３、ＤＤＲメモリ（ＲＡＭ）のようなメモリ１６４，２６４を備えていることに特徴がある。そのため、ＣＰＵ １６１，２６１、ＧＰＵ １６２，２６２、ＤＳＰ １６３，２６３、メモリ１６４，２６４以外の構成要素には、第１の実施例と同一の図面符号及び同一の部材名を付し、当該部分については、重複説明を避けるために詳細な説明を省略するものとする。
【０１１３】
以下、アップグレード装置２００によりディスプレイ装置１００をアップグレードする具体的な実施例について、図５を参照して説明する。図５は、本実施例に係るディスプレイシステム１において、ディスプレイ装置１００の映像処理プロセスをアップグレード装置２００によりアップグレードする方法を示すフローチャートである。
【０１１４】
図５に示すように、ディスプレイ装置１００は、映像供給源３００からの所定の信号、例えば、放送信号を受信すると（４１１）、該信号を、既に設定されたシーケンスの映像処理プロセス（４１２，４１３，４１４）に従って処理する。図示の映像処理プロセス（４１２，４１３，４１４）は、本発明の実施例をより簡潔に表現するために一部の例示のみを示したもので、実際にディスプレイ装置１００で具現される映像処理プロセスの全てを示すものではない。
【０１１５】
ディスプレイ装置１００は、受信した放送信号を映像信号、音声信号及び付加データに分類するデマルチプレクシングを行う（４１２）。ディスプレイ装置１００は、デマルチプレクシングした各信号を処理する。例えば、映像信号を、既に設定された映像フォーマットにデコーディングする（４１３）。ディスプレイ装置１００は、デコーディングされた映像信号をディスプレイ部１３０に映像として表示するように所定の解像度にスケーリングし（４１４）、スケーリングされた映像信号を映像として表示する（４１５）。
【０１１６】
この一連のシーケンスの中で、アップグレード装置２００は、ディスプレイ装置１００のデコーディングプロセス４１３に対応するプロセス４２３を行えるようになっている。アップグレード装置２００が行えるデコーディングプロセス４２３は、ディスプレイ装置１００が行えるデコーディングプロセス４１３に比べて、デコーディングという動作側面では同一であるが、機能的にはより向上しているため、後者（４１３）に代えて前者（４２３）を行うことが、映像処理プロセスの向上をもたらすことができる。
【０１１７】
例えば、前者（４２３）では、後者４１３で処理できないレベル以上の解像度の映像信号を処理できる、後者（４１３）で処理できないフォーマットの映像信号を処理できる、または、後者（４１３）で適用できない付加的効果が映像信号に適用されるように処理することができる。
【０１１８】
そのため、本実施例に係る映像処理プロセスのシーケンスは、第１の制御部１６０または第２の制御部２６０の制御に応じて、デマルチプレクシング段階４１２の後に、ディスプレイ装置１００のデコーディング段階４１３に代えてアップグレード装置２００のデコーディング段階４２３が行われる。アップグレード装置２００のデコーディング段階４２３の後には、スケーリング段階４１４が行われる。
【０１１９】
このようなシーケンスに従ってディスプレイ装置１００及びアップグレード装置２００間には映像信号及び制御信号が送受信され、これは、第１の制御部１６０または第２の制御部２６０の制御によって行われる。
【０１２０】
一方、映像処理プロセスのうちの一部プロセスが代替された図５の場合とは違い、アップグレード装置２００の第２の映像処理部２２０が、ディスプレイ装置１００の第１の映像処理部１２０を代替する場合も可能であり、これについて、以下、図６を参照して説明する。図６は、本実施例に係るディスプレイシステム１において、第１のインターフェース部１１０に受信される映像信号の伝送過程を示す構成ブロック図である。
【０１２１】
図６を参照すると、アップグレード装置２００がディスプレイ装置１００に接続していないと、映像信号は第１のインターフェース部１１０に受信された後（４３１）、第１の映像処理部１２０に伝達される（４３２）。第１の映像処理部１２０は映像信号を処理してディスプレイ部１３０に出力し（４３３）、ディスプレイ部１３０は、第１の映像処理部１２０により処理された映像信号を映像として表示する。
【０１２２】
一方、図６に示すように、アップグレード装置２００がディスプレイ装置１００に接続していると、映像信号は第１のインターフェース部１１０に受信された後（４３１）、第１の映像処理部１２０ではなく第２の映像処理部２２０に伝送される（４３４）。第２の映像処理部２２０は、第１の映像処理部１２０に代えて映像信号に対する映像処理プロセスを行い、第２の映像処理部２２０により処理された映像信号は、再びディスプレイ装置１００に伝送される（４３５）。
【０１２３】
映像信号は、第１の映像処理部１２０に伝達されないように迂回（ｂｙｐａｓｓ）してディスプレイ部１３０に伝達され（４３６）、これにより、ディスプレイ部１３０は、第２の映像処理部２２０で処理された映像信号を映像として表示する。
【０１２４】
一方、ディスプレイ装置１００及びアップグレード装置２００の接続時に、第２の制御部２６０は第１の制御部１６０をディセーブルさせ、第１の映像処理部１２０及び第２の映像処理部２２０を制御することができる。または、第２の記憶部２５０に記憶された運営体制が第１の記憶部１５０に記憶された運営体制よりもバージョンアップ（ｖｅｒｓｉｏｎ−ｕｐ）になっていると、第１の記憶部１５０の運営体制を第２の記憶部２５０の運営体制にアップデートさせ、アップデートされた運営体制を駆動してもよく、第１の記憶部１５０の運営体制に代えて第２の記憶部２５０の運営体制を駆動してもよい。
【０１２５】
このような構成により、本実施例に係るアップグレード装置２００はディスプレイ装置１００をアップグレードさせることができる。
【０１２６】
一方、以上説明した実施例のように、ディスプレイ装置１００及びアップグレード装置２００が接続すると、ディスプレイ装置１００の第１の制御部１６０は、ディスプレイ装置１００の情報をアップグレード装置２００に送信する。
【０１２７】
具体的に、本発明の第１及び第２の実施例に係るディスプレイ装置１００の第１の制御部１６０は、第１のインターフェース部１１０の規格情報をアップグレード装置２００に送信する。
【０１２８】
アップグレード装置２００は、第２のインターフェース部２１０の固定インターフェース２１１のルールに従って第１のインターフェース部１１０の規格情報を受信し、第２の制御部２６０または副制御部２７０は、受信した規格情報に対応する規格でディスプレイ装置１００との通信が行われるように第２のインターフェース部２１０の流動インターフェース２１２を通信設定及び制御する。
【０１２９】
具体的に、第２の制御部２６０または副制御部２７０は、流動インターフェース２１２を介して送受信される信号の構成、電圧レベル、伝送速度の少なくとも一つを第１のインターフェース部１１０に対応するように制御することができる。
【０１３０】
ここで、第２の記憶部２５０には、様々なインターフェースの規格情報、及び各規格に対応する信号の構成、電圧レベル、伝送速度などの値が保存されたテーブルが記憶されており、第２の制御部２６０または副制御部２７０は、第１のインターフェース部１１０に対応するそれぞれの値をテーブルから読み込んで、流動インターフェース２１２を制御することができる。
【０１３１】
本発明の第１及び第２の実施例で、第１のインターフェース部１１０の規格は、ＵＡＲＴ、Ｉ２Ｃ、ＵＳＢ及びＨＤＭＩの少なくとも一つを含むことができる。
【０１３２】
そのため、アップグレード装置２００に新規インターフェースが適用されても、ディスプレイ装置１００のインターフェースを支援可能になり、ディスプレイ装置１００とアップグレード装置２００間のインターフェース互換性が確保される。
【０１３３】
一方、本発明の第３の実施例に係るディスプレイ装置１００の第１の制御部１６０は、ディスプレイ装置１００とアップグレード装置２００とが接続されると、ディスプレイ装置１００の電力情報を、第１のインターフェース部１１０を介してアップグレード装置２００に送信する。
【０１３４】
電力情報は、ディスプレイ装置１００がアップグレード装置２００に供給可能な電力量に関する情報であり、アップグレード装置２００は、第２のインターフェース部２１０を介してディスプレイ装置１００から電力情報に対応する電力を供給される。
【０１３５】
アップグレード装置２００の第２のインターフェース部２１０は、ディスプレイ装置１００に設けられた第１のインターフェース部１１０のＵＳＢ端子に接続して、電力情報及び電力を受けることができる。
【０１３６】
アップグレード装置２００の第２の制御部２６０は、ディスプレイ装置１００の電力情報に基づいてアップグレード装置２００の駆動速度を決定する。
【０１３７】
第２の制御部２６０は、ＣＰＵ周波数（ＣＰＵ  Ｆｒｅｑｕｅｎｃｙ）、ＧＰＵ周波数（ＧＰＵ  Ｆｒｅｑｕｅｎｃｙ）、ＤＳＰ周波数（ＤＳＰ  Ｆｒｅｑｕｅｎｃｙ）及びメモリバス速度（Ｍｅｍｏｒｙ  Ｂｕｓ  Ｓｐｅｅｄ）の少なくとも一つを含む調整項目の設定値を調整して、アップグレード装置２００の駆動速度を決定することができる。
【０１３８】
ここで、第２の制御部２６０は、ディスプレイ装置１００の動作モードに応じて調整項目の設定値を調整することができる。ディスプレイ装置１００の動作モードとしては、ＴＶモード、ゲームモード、インターネットモード、スポーツモード、音楽モードなどを含む。
【０１３９】
そのために、ディスプレイ装置１００の第１の制御部１６０は、ディスプレイ装置１００の動作モードに関する情報をアップグレード装置２００にさらに送信するように第１のインターフェース部１１０を制御する。
【０１４０】
第２の制御部２６０は、ディスプレイ装置１００から動作モードに関する情報を受信するように第２のインターフェース部２１０を制御し、受信した動作モードに対応するように調整項目のそれぞれの設定値を動的に調整してアップグレード装置２００の駆動速度を決定する。例えば、ゲームモードの場合は、ＴＶモードやインターネットモードに比べてＧＰＵ周波数の設定値をより高く設定すればよい。
【０１４１】
第２の記憶部２５０には、ディスプレイ装置１００の電力情報に対応する駆動速度情報が記憶されている。第２の制御部２６０は、ディスプレイ装置１００の電力情報を受信すると、第２の記憶部２５０から、受信した電力情報に対応するアップグレード装置２００の駆動速度情報を読み込み、アップグレード装置２００の駆動速度を決定することができる。
【０１４２】
ここで、第２の記憶部２５０にはディスプレイ装置１００の動作モードに対応してそれぞれの調整項目の設定値が保存されたテーブルが記憶されており、第２の制御部２６０は、受信した電力情報及び動作モード情報に対応する調整項目の設定値をテーブルから読み込み、アップグレード装置２００の駆動速度を決定することができる。第２の制御部２６０は、このような方式により決定された駆動速度で動作する。
【０１４３】
なお、ディスプレイ装置１００は、ユーザー入力などによってその動作モードが変更される場合がある。第１の制御部１６０は、ディスプレイ装置１００の動作モードが変更されると、それを第１のインターフェース部１１０を介してアップグレード装置２００に通知し、第２の制御部２６０は、変更された動作モードに対応するように調整項目の設定値を再設定することができる。
【０１４４】
ディスプレイ装置１００は、その製品仕様によってアップグレード装置２００に供給可能な電力が異なっており、アップグレード装置２００は必要な電力を供給されない場合もある。そうなると、アップグレード装置２００が電力不足により正常動作できないか、または、ディスプレイ装置１００が電力を過剰供給して電力不安定による誤動作が発生することがある。
【０１４５】
そこで、本発明の第３の実施例のアップグレード装置２００は、ディスプレイ装置１００の電力情報に対応する最適の駆動速度で動作するようにしており、よって、ディスプレイ装置１００、アップグレード装置２００両方とも安定して動作可能である。
【０１４６】
一方、第２の制御部２６０は、電力情報に基づいて決定されたアップグレード装置２００の駆動速度をディスプレイ装置１００の駆動速度と比較することができる。比較の結果、アップグレード装置２００の駆動速度がディスプレイ装置１００の駆動速度以下であると、第２の制御部２６０をディセーブルさせ、第１の制御部１６０が第２の制御部２６０に代えてディスプレイシステム１の動作全般を制御するようにしてもよい。
【０１４７】
この場合、第１の制御部１６０は、アップグレード装置２００に映像信号を送信せず、第１の映像処理部１２０が映像信号を処理するように制御し、第１の映像処理部１２０から処理された映像信号を受信して対応の映像を表示するようにディスプレイ部１３０を制御することができる。ここで、場合によって、第１の制御部１６０は、第２の映像処理部２２０が映像信号を処理するように制御してもよい。
【０１４８】
また、アップグレード装置２００の駆動速度がディスプレイ装置１００の駆動速度以下の場合に、第２の制御部２６０の一部の機能を第１の制御部１６０が代替し、第１の制御部１６０と第２の制御部２６０の両方が動作してディスプレイシステム１の動作を制御してもよい。このように、アップグレード装置２００の機能の全部または一部をディスプレイ装置１００が代替すると、ディスプレイシステム１の動作の安全性を確保できる他、効率性もより増大させることができる。
【０１４９】
以下、本実施例に係るディスプレイシステム１の制御方法について、図面を参照して説明する。
【０１５０】
図７は、本発明の第１または第２の実施例に係るディスプレイ装置１００の制御方法を示すフローチャートである。図７に示すように、アップグレード装置２００は、ハードウェア／ソフトウェアのアップグレードのために、ディスプレイ装置１００の第１のインターフェース部１１０に接続する（Ｓ１０２）。
【０１５１】
アップグレード装置２００が接続すると、第１の制御部１６０は、ディスプレイ装置１００の情報として第１のインターフェース部１１０の規格情報をアップグレード装置２００に送信するように第１のインターフェース部１１０を制御する（Ｓ１０４）。
【０１５２】
そして、第１の制御部１６０は、段階Ｓ１０４で送信した規格で通信が行われるように第１のインターフェース部１１０の通信設定を行う（Ｓ１０６）。一方、第１の制御部１６０は、映像供給源から受信する映像信号をアップグレード装置２００に送信するように第１のインターフェース部１１０を制御する（Ｓ１０８）。
【０１５３】
そして、第１の制御部１６０は、アップグレード装置２００で処理された映像信号を受信するように第１のインターフェース部１１０を制御する（Ｓ１１０）。第１の制御部１６０は、段階Ｓ１１０で受信した映像信号に対応する映像を表示するようにディスプレイ部１３０を制御する（Ｓ１１２）。
【０１５４】
図８は、本発明の第１または第２の実施例に係るアップグレード装置２００の制御方法を示すフローチャートである。図８に示すように、アップグレード装置２００は、ハードウェア／ソフトウェアのアップグレードのために、ディスプレイ装置１００の第１のインターフェース部１１０に接続する（Ｓ２０２）。
【０１５５】
アップグレード装置２００がディスプレイ装置１００に接続すると、第２の制御部２６０は、第２のインターフェース部２１０の固定インターフェース２１１を介してディスプレイ装置１００の情報として第１のインターフェース部１１０の規格情報を受信する（Ｓ２０４）。
【０１５６】
第２の制御部２６０または副制御部２７０は、段階Ｓ２０４で受信した規格情報に基づいて、第２のインターフェース部２１０の流動インターフェース２１２を、第１のインターフェース部１１０に対応する規格に通信設定をし、該通信設定によって通信が行われるように流動インターフェース２１２を制御する（Ｓ２０６）。ここで、第２の制御部２６０または副制御部２７０は、流動インターフェース部２１２を介して送受信される信号の構成、電圧レベル及び伝送速度の少なくとも一つを、第１のインターフェース部１１０に対応するように制御する。流動インターフェース部２１２を介して送受信される信号はデータ信号であってもよく、これに限定されない。
【０１５７】
一方、アップグレード装置２００は、ディスプレイ装置１００から第２のインターフェース部２１０を介して映像信号を受信する（Ｓ２０８）。ここで、固定インターフェース２１１または流動インターフェース２１２を介して映像信号を受信することができる。
【０１５８】
次に、第２の制御部２６０は、段階Ｓ２０８で受信した映像信号を処理するように第２の映像処理部２２０を制御する（Ｓ２１０）。そして、第２の制御部２６０または副制御部２７０は、処理された映像信号をディスプレイ装置１００に送信するように第２のインターフェース部２１０を制御する（Ｓ２１２）。
【０１５９】
このように、本発明の第１及び第２の実施例によれば、アップグレード装置がディスプレイ装置の情報に基づいて動作を行うから、既に販売されたディスプレイ装置との互換性を確保でき、動作の安全性を向上させることができる。
【０１６０】
具体的に、アップグレード装置２００に新規インターフェースが適用されても、既に販売されたディスプレイ装置１００のインターフェースとのバックワード互換性が確保され、アップグレード装置２００の機能が拡張可能になる。
【０１６１】
また、アップグレード装置２００にインターフェース部２１０を制御する別途の副制御部を備えることで、主制御部の負担を軽減しながらも、ディスプレイ装置１００のインターフェースとの互換を効率的に行うことができる。
【０１６２】
図９及び図１０は、本発明の第３の実施例に係るディスプレイ装置１００の制御方法を示すフローチャートである。
【０１６３】
図９に示すように、アップグレード装置２００は、ハードウェア／ソフトウェアのアップグレードのために、ディスプレイ装置１００の第１のインターフェース部１１０に接続する（Ｓ３０２）。
【０１６４】
アップグレード装置２００がディスプレイ装置１００に接続すると、第１の制御部１６０は、ディスプレイ装置１００の情報として電力情報（ディスプレイ装置１００がアップグレード装置２００に供給可能な電力情報）をアップグレード装置２００に第１のインターフェース部１１０を介して送信する（Ｓ３０４）。
【０１６５】
第１の制御部１６０は、段階Ｓ３０４で送信された電力情報に対応して決定されたアップグレード装置２００の駆動速度情報を受信する（Ｓ３０６）。
【０１６６】
第１の制御部１６０は、段階Ｓ３０２でアップグレード装置の接続を感知すると、映像供給源から受信する映像信号をアップグレード装置２００に送信するように第１のインターフェース部１１０を制御する（Ｓ３０８）。
【０１６７】
そして、第１の制御部１６０は、アップグレード装置２００で処理された映像信号を受信するように第１のインターフェース部１１０を制御する（Ｓ３１０）。第１の制御部１６０は、段階Ｓ３１０で受信した映像信号に対応する映像を表示するようにディスプレイ部１３０を制御する（Ｓ３１２）。
【０１６８】
図１０に示す実施例は、アップグレード装置２００から受信した駆動速度をディスプレイ装置１００の駆動速度と比較する点が、図９の実施例と異なる。図１０に示すように、アップグレード装置２００は、ハードウェア／ソフトウェアのアップグレードのために、ディスプレイ装置１００の第１のインターフェース部１１０に接続する（Ｓ４０２）。
【０１６９】
アップグレード装置２００がディスプレイ装置１００に接続すると、第１の制御部１６０は、ディスプレイ装置１００の電力情報をアップグレード装置２００に第１のインターフェース部１１０を介して送信する（Ｓ４０４）。
【０１７０】
第１の制御部１６０は、段階Ｓ４０４で送信された電力情報に対応して決定されたアップグレード装置２００の駆動速度情報を受信する（Ｓ４０６）。第１の制御部１６０は、段階Ｓ４０６で受信した駆動速度情報をディスプレイ装置１００の駆動速度と比較する（Ｓ４０８）。段階Ｓ４０８での比較の結果、アップグレード装置２００の駆動速度がディスプレイ装置１００の駆動速度よりも速いと、第１の制御部１６０は、映像供給源から受信する映像信号をアップグレード装置２００に送信するように第１のインターフェース部１１０を制御する（Ｓ４１０）。続いて、第１の制御部１６０は、アップグレード装置２００で処理された映像信号を受信するように第１のインターフェース部１１０を制御する（Ｓ４１２）。
【０１７１】
段階Ｓ４０８での比較の結果、アップグレード装置２００の駆動速度がディスプレイ装置１００の駆動速度以下であると、第２の制御部２６０の性能が第１の制御部１６０と同等または劣等であることを意味するから、第２の制御部２６０がディセーブルされ、第１の制御部１６０が動作を行う（Ｓ４１４）。ここで、第１の制御部１６０は、第１の映像処理部１２０または第２の映像処理部２２０を制御して映像処理を行うことができる。第２の映像処理部２２０が映像処理を行う場合には、段階Ｓ４１４は、第１の制御部１６０の制御によって第１及び第２のインターフェース部１１０，１２０を介して映像信号及び制御信号が送受信される過程を含む。
【０１７２】
そして、第１の制御部１６０は、段階Ｓ４１２または段階Ｓ４１４で処理された映像信号に対応する映像を表示するようにディスプレイ部１３０を制御する（Ｓ４１６）。
【０１７３】
図１１及び図１２は、本発明の第３の実施例に係るアップグレード装置２００の制御方法を示すフローチャートである。
【０１７４】
図１１に示すように、アップグレード装置２００は、ハードウェア／ソフトウェアのアップグレードのために、ディスプレイ装置１００の第１のインターフェース部１１０に接続する（Ｓ５０２）。
【０１７５】
アップグレード装置２００がディスプレイ装置１００に接続すると、第２の制御部２６０は、第２のインターフェース部２１０を介してディスプレイ装置１００の情報として電力情報（ディスプレイ装置１００がアップグレード装置２００に提供可能な電力情報）を受信する（Ｓ５０４）。
【０１７６】
第２の制御部２６０は、段階Ｓ５０４で受信した電力情報に対応してアップグレード装置２００の駆動速度を決定する（Ｓ５０６）。ここで、アップグレード装置２００の駆動速度は、ＣＰＵ周波数、ＧＰＵ周波数、ＤＳＰ周波数及びメモリバス速度のような調整項目の設定値を調整して決定することができる。また、調整項目の設定値は、ディスプレイ装置１００の動作モードによって決定することができる。
【０１７７】
第２の制御部２６０は、段階Ｓ５０６で決定された駆動速度で動作してディスプレイ装置１００から映像信号を受信する（Ｓ５０８）。続いて、第２の制御部２６０は、段階Ｓ５０６で決定された駆動速度で動作して、受信した映像信号を処理するように第２の映像処理部２２０を制御する（Ｓ５１０）。
【０１７８】
そして、第２の制御部２６０は、処理された映像信号をディスプレイ装置１００に送信するように第２のインターフェース部２１０を制御する（Ｓ５１２）。
【０１７９】
図１２に示す実施例は、決定されたアップグレード装置２００の駆動速度をディスプレイ装置１００の駆動速度と比較する点が、図１１の実施例と異なる。図１２に示すように、アップグレード装置２００は、ハードウェア／ソフトウェアのアップグレードのために、ディスプレイ装置１００の第１のインターフェース部１１０に接続する（Ｓ６０２）。
【０１８０】
ディスプレイ装置１００に接続すると、第２の制御部２６０は、第２のインターフェース部２１０を介してディスプレイ装置１００の情報として電力情報（ディスプレイ装置１００がアップグレード装置２００に提供可能な電力情報）を受信する（Ｓ６０４）。
【０１８１】
第２の制御部２６０は、段階Ｓ６０４で受信した電力情報に対応してアップグレード装置２００の駆動速度を決定する（Ｓ６０６）。ここで、アップグレード装置２００の駆動速度は、ＣＰＵ周波数、ＧＰＵ周波数、ＤＳＰ周波数及びメモリバス速度のような調整項目の設定値を調整して決定することができる。また、調整項目の設定値は、ディスプレイ装置１００の動作モードによって決定することができる。
【０１８２】
第２の制御部２６０は、段階Ｓ６０６で決定された駆動速度をディスプレイ装置１００の駆動速度と比較する（Ｓ６０８）。段階Ｓ６０８での比較の結果、アップグレード装置２００の駆動速度がディスプレイ装置１００の駆動速度よりも速いと、第２の制御部２６０は、段階Ｓ６０６で決定された駆動速度で動作してディスプレイ装置１００から映像信号を受信する（Ｓ６１０）。
【０１８３】
続いて、第２の制御部２６０は、段階Ｓ６０６で決定された駆動速度で動作して、受信した映像信号を処理するように第２の映像処理部２２０を制御する（Ｓ６１２）。
【０１８４】
そして、第２の制御部２６０は、処理された映像信号をディスプレイ装置１００に送信するように第２のインターフェース部２１０を制御する（Ｓ６１４）。
【０１８５】
段階Ｓ６０８での比較の結果、アップグレード装置２００の駆動速度がディスプレイ装置１００の駆動速度以下であると、第２の制御部２６０の性能が第１の制御部１６０と同等または劣等であることを意味するから、第２の制御部２６０がディセーブルされ、第１の制御部１６０が動作を行うようにするコマンドをディスプレイ装置１００に送信する（Ｓ６１６）。ここで、第２の映像処理部２２０は、第１の制御部１６０の制御によって映像処理を行うこともできる。第２の映像処理部２２０が映像処理を行う場合に、段階Ｓ６１６は、第１の制御部１６０の制御によって第１及び第２のインターフェース部１１０，１２０を介して映像信号及び制御信号が送受信される過程を含む。
【０１８６】
このように、本発明の第３の実施例によれば、アップグレード装置がディスプレイ装置の情報に基づいて動作を行うから、既に販売されたディスプレイ装置との互換性を確保でき、動作の安全性を向上させることができる。
【０１８７】
具体的に、ディスプレイ装置１００が提供できる電力情報に最適化した速度でアップグレード装置１００を駆動することで、ディスプレイ装置１００及びアップグレード装置２００の誤動作を防止し、動作の安全性を向上させることができる。また、ディスプレイ装置１００のモードに応じて各調整項目の設定値を調整して駆動速度を制御することによって、ユーザーの満足度を高め、より効率的に駆動速度を制御することができる。
【０１８８】
また、決定された駆動速度によってアップグレード装置２００がディスプレイ装置１００以下の性能を有することになる場合は、ディスプレイ装置１００の制御部を動作させて、システム全体の効率性をより増大させることができる。
【０１８９】
以上、好適な実施例を挙げて本発明について詳細に説明したが、本発明は、これに限定されるものではなく、特許請求の範囲内で様々に実施可能である。
【符号の説明】
【０１９０】
１        ディスプレイシステム
１００    ディスプレイ装置
１１０    第１のインターフェース部
１２０    第１の映像処理部
１３０    ディスプレイ部
１４０    ユーザー入力部
１５０    第１の記憶部
１６０    第１の制御部
２００    アップグレード装置
２１０    第２のインターフェース部
２２０    第２の映像処理部
２５０    第２の記憶部
２６０    第２の制御部
２７０    副制御部
【図１】
2013141230.tif 000003
【図２】
2013141230.tif 000004
【図３】
2013141230.tif 000005
【図４】
2013141230.tif 000006
【図５】
2013141230.tif 000007
【図６】
2013141230.tif 000008
【図７】
2013141230.tif 000009
【図８】
2013141230.tif 000010
【図９】
2013141230.tif 000011
【図１０】
2013141230.tif 000012
【図１１】
2013141230.tif 000013
【図１２】
2013141230.tif 000014